(57)【要約】【課題】クライアント側の都合に振られる作業をなくし、契約中はクライアントが自由に表示画像を変更できる電子掲示板システムを提供する。【解決手段】画像データを表示する電子掲示板１と、電子掲示板１に掲示するための画像データを保持するサーバ２とがネットワーク４を含むデータ転送可能な通信路で接続され、サーバ２に画像データを転送するクライアントＰＣ３とサーバ２とがネットワーク４で接続された電子掲示板システムであって、電子掲示板１の使用権をクライアントＰＣ３に貸し出す時に、サーバ２の電子メールアカウントをクライアントＰＣ３に貸し与え、クライアントＰＣ３がその電子メールアドレスに表示したい画像データを送る。【選択図】        図１
2004240327.tif 000002
【特許請求の範囲】
【請求項１】
画像データを表示する電子掲示板と、電子掲示板に掲示するための画像データを保持するサーバとがネットワークを含むデータ転送可能な通信路で接続され、サーバに画像データを転送するクライアントとサーバとがネットワークで接続された電子掲示板システムであって、電子掲示板の使用権をクライアントに貸し出す時に、サーバの電子メールアカウントをクライアントに貸し与え、クライアントがその電子メールアドレスに表示したい画像データを送ることを特徴とする電子掲示板システム。
【請求項２】
請求項１の電子掲示板システムにおいて、指定された送信元アドレスからの画像データのみしか受けつけないことを特徴とする電子掲示板システム。
【請求項３】
請求項１の電子掲示板システムにおいて、送られてきた画像データが掲示不可能な場合には、その旨を返信メールで送信元に通知することを特徴とする電子掲示板システム。
【発明の詳細な説明】
【０００１】
【発明の属する技術分野】
本発明は、画像データを表示する電子掲示板と、電子掲示板に掲示するための画像データを保持するサーバとがネットワークを含むデータ転送可能な通信路で接続され、サーバに画像データを転送するクライアントとサーバとがネットワークで接続された電子掲示板システムに関するものである。
【０００２】
【従来の技術】
公共の場所における広告の手段として、ポスターを印刷し、壁などに貼り付けるという手段が多く使われてきた。それらの掲示物の変更はこれまで人の手により行われ、非常に手間のかかる作業であった。この問題を、薄型表示装置（電子掲示板）とＬＡＮを使用することによって解決した従来技術が知られている（特許文献１参照）。
【０００３】
【特許文献１】
特開平９−３２５９９２号公報
【０００４】
【発明が解決しようとする課題】
電子掲示板は、従来の紙のポスターのように張り替えの手間がなく、簡単に表示内容を変更できるため非常に便利である。とくにそれがＬＡＮなどのネットワークに接続されている場合、遠隔操作でその差し替えができるので一層便利になる。
【０００５】
そのような電子掲示板を不特定多数のクライアントに対して貸し出す場合、通常はクライアントから表示する画像を受け取り、それを表示用の画像データとして設定する必要がある。また、契約途中で表示する画像を変更する場合、変更する画像データをクライアントから受け取りそれを設定し直す必要がある。
【０００６】
本発明は、上記のようなクライアント側の都合に振られる作業をなくし、契約中はクライアントが自由に表示画像を変更できる電子掲示板システムを提供することを目的とする。
【０００７】
【課題を解決するための手段】
上記目的を達成するために、請求項１記載の発明では、画像データを表示する電子掲示板と、電子掲示板に掲示するための画像データを保持するサーバとがネットワークを含むデータ転送可能な通信路で接続され、サーバに画像データを転送するクライアントとサーバとがネットワークで接続された電子掲示板システムであって、電子掲示板の使用権をクライアントに貸し出す時に、サーバの電子メールアカウントをクライアントに貸し与え、クライアントがその電子メールアドレスに表示したい画像データを送る電子掲示板システムを最も主要な特徴とする。
【０００８】
請求項２記載の発明では、請求項１の電子掲示板システムにおいて、指定された送信元アドレスからの画像データのみしか受けつけない電子掲示板システムを主要な特徴とする。
【０００９】
請求項３記載の発明では、請求項１の電子掲示板システムにおいて、送られてきた画像データが掲示不可能な場合には、その旨を返信メールで送信元に通知する電子掲示板システムを主要な特徴とする。
【００１０】
【発明の実施の形態】
以下、図面により本発明の実施の形態を詳細に説明する。
図１は本発明の第１の実施の形態に係る電子掲示板システムの構成図である。本電子掲示板システムは、電子掲示板１（１−１、１−２…１−Ｎ）と、サーバ２と、クライアントＰＣ（パソコン）３とがネットワーク４に接続されることで構成されている。
【００１１】
電子掲示板１は、サーバ２上の画像データを表示する。サーバ２は、電子掲示板１に掲示するための画像データを保持する役割を持つ。クライアントＰＣ３は、サーバ２に画像データを転送するために使用される。サーバ２とクライアントＰＣ３は、電子メールの送受信が可能になっている。
【００１２】
図２は本発明の第２の実施の形態に係る電子掲示板システムの構成図である。本電子掲示板システムは、電子掲示板１（１−１、１−２…１−Ｎ）とサーバ２とがローカルに接続されており、サーバ２とクライアントＰＣ（パソコン）３とがネットワーク４に接続されることで構成されている。機能は第１の実施の形態と同じである。
【００１３】
第１の実施例動作では、電子掲示板システムは、広告クライアント５との契約が結ばれると、サーバ管理者６は契約したク広告ライアント５のための電子メールアカウントをサーバ２に追加する。サーバ２では、各電子掲示板１に対して、電子メールアカウント名、表示する画像ファイル名を表１のように管理する。アカウントの追加を行った際、表１の情報の更新も行う。つまり契約締結時には、契約対象となる電子掲示板１に対して「アカウント名」欄に新規アカウント名が書き込まれ、「表示画像ファイル」欄は表示画像が無い状態なので「無し」と書かれることになる。
【００１４】
【表１】
2004240327.tif 000003
【００１５】
これらの設定後、サーバ管理者６は広告クライアント５に電子メールアドレスを通知する。
【００１６】
広告クライアント５は電子メールに掲示板表示用の画像データを添付し、それを指定されたアドレスに送信する。そのメールを受け取ったサーバ２は、添付ファイルをサーバ２内で一意に識別できるファイル名に書き換え保存する。それと同時に、表１の電子メール受信アカウント名に対応する「表示画像ファイル」欄に、そのファイル名を書き込む。サーバ２は電子メールにより画像データが送られてくる度に、対応する電子掲示板１にその画像を転送し、それにより電子掲示板１上の表示の切り替えが行われる。
【００１７】
第２の実施例動作では、電子掲示板システムは、サーバ２で表２のようにクライアント（クライアントＰＣ３、広告カライアント５）の電子メールアドレスの情報も管理する。
【００１８】
【表２】
2004240327.tif 000004
【００１９】
サーバ２は電子メール受信時に、宛先アカウント名から表２を使って登録されているクライアントアドレスを取り出す。そのアドレスと、送られてきたメール元アドレスが同じであれば第１の実施例動作と同様の処理を行う。違っていた場合は、添付ファイルごとそのメールを削除する。
【００２０】
第３の実施例動作では、電子掲示板システムにおいて、サーバ２はメール受信時に添付ファイルのデータが掲示可能かどうかをチェックする。画像のフォーマットや、画像のサイズ等の条件で電子掲示板１に掲示できない画像であった場合は添付ファイルごとそのメールを削除する。そして、添付されていた画像が不適切であった旨をクライアントに電子メールで通知する。添付ファイルが掲示可能であった場合には、第１の実施例動作と同様の処理を行う。
【００２１】
【発明の効果】
以上説明したように、請求項１によれば、クライアントが表示画像を変更したい時にクライアントが直接操作できるので、サーバ管理者の作業を削減でき、その作業結果を待つことなく表示画像を変更することができる。また、画像データを転送する手段として電子メールという一般的な手段を利用するため、クライアントは既存の電子メールツールを用いて簡単に表示画像を送ることができる。
【００２２】
請求項２によれば、送信元を確認して表示画像を取り込むので、不正な表示変更を防ぐことができる。
【００２３】
請求項３によれば、表示不可能な画像が送られてきたときに、表示できなかったことを即時にクライアントが知ることができるので、電子掲示板の非稼動時間を最小限に抑えることができる。
【図面の簡単な説明】
【図１】本発明の第１の実施の形態に係る電子掲示板システムの構成図である。
【図２】本発明の第２の実施の形態に係る電子掲示板システムの構成図である。
【符号の説明】
１  電子掲示板
２  サーバ
３  クライアントＰＣ
４  ネットワーク
【図１】
2004240327.tif 000005
【図２】
2004240327.tif 000006